(57)【要約】【課題】板材を軽量化して収容箱から取り出す際の取り出し作業を一人で簡単かつ安易に行えるとともに、飾り台の組み付け作業を非常に簡単に行うことができる飾り台を提供する。【解決手段】飾り台１に、飾り物を載置する台座と、台座の下方で対峙する底板１２と、底板１２の四隅に立設された４つの支柱１３と、各支柱１３のうちの互いに相隣なる支柱１３，１３同士の間に設けられ、各支柱１３と共に台座を支持する４枚の薄板材１６〜１９と、を備える。互いに相隣なる支柱１３同士の間に位置する薄板材１６〜１９の周方向両端をその表裏方向から保持するように上下方向から挿通させた状態で固定する挿通溝１３１を設けるとともに、底板１２の上面に、各薄板材１６〜１９の下端をその表裏方向から保持する保持溝１２１を凹設している。【選択図】図２
0003205141.tif 000002
【実用新案登録請求の範囲】
【請求項１】
節句を祝う節句用飾りなどの飾り物を設置する飾り台であって、
前記飾り物を載置する台座と、
前記台座に対し下方で対峙する底板と、
前記底板の周囲に立設された複数の支柱と、
前記各支柱のうちの互いに相隣なる支柱同士の間に設けられ、前記各支柱と共に前記台座を支持する複数の薄板材と、
を備え、
前記各支柱は、そのうちの互いに相隣なる支柱同士の間に位置する前記薄板材の周方向両端をその表裏方向から保持するように上方から挿通させた状態で固定する挿通溝を有し、
前記各薄板材の下端は、前記底板に対し固定されていることを特徴とする飾り台。
【請求項２】
前記底板の上面には、前記各薄板材の下端をその表裏方向から保持した状態に固定する保持溝が凹設されている請求項１に記載の飾り台。
【請求項３】
前記薄板材は、その表面に模様状に凹設した模様凹部を備え、この模様凹部には、螺鈿が象嵌されている請求項１又は請求項２に記載の飾り台。
【請求項４】
前記薄板材は、その表面に模様状に凹設した模様凹部を備えているとともに、その裏面より前記模様凹部に連通するまで凹設した凹部を備え、
前記凹部には、表面に装飾を施した装飾板が嵌合されている請求項１又は請求項２に記載の飾り台。
【請求項５】
前記薄板材は、その表裏方向に模様状に切り欠いた模様切欠部を備え、
この模様切欠部に対応する薄板材の裏面には、表面に装飾を施した装飾板が添設されている請求項１又は請求項２に記載の飾り台。
【請求項６】
前記装飾板の周方向両端は、前記支柱に設けられた案内溝に対し上方から挿通自在に支持されている請求項５に記載の飾り台。
【請求項７】
前記台座は、屏風を備え、
前記屏風は、その表面に模様状に凹設した模様凹部と、裏面より前記模様凹部に連通するまで凹設した凹部に嵌合され、表面に装飾を施した装飾板とを備えている請求項１〜請求項６のいずれか１つに記載の飾り台。
【請求項８】
前記装飾板は、前記屏風の凹部の深さとほぼ同じ厚さに形成されている請求項７に記載の飾り台。
【請求項９】
前記屏風は、その表面に模様状に凹設した模様凹部を備え、この模様凹部には、螺鈿が象嵌されている請求項７に記載の飾り台。
【請求項１０】
前記模様凹部は、レーザービームの照射により任意の深さに設定されるように加工されている請求項３、請求項４、請求項７、又は請求項９に記載の飾り台。
【請求項１１】
請求項１〜請求項１０のいずれか１つに記載の飾り台を収容する収容箱であって、
その収容箱本体の底部には、当該収容箱本体の底面形状と略一致する中敷きが敷設され、
この中敷きは、前記底板の下面に凹設した凹部に合致する突起を備えている収容箱。
【請求項１２】
請求項１〜請求項１０のいずれか１つに記載の飾り台を収容する収容箱であって、
その収容箱本体は、当該収容箱本体の開口形状が略矩形状を呈し、四方から被せる内フラップ及び外フラップを２枚ずつ備えているとともに、当該収容箱本体に収容された前記飾り台の台座に対する前記各内フラップの直当接を回避する回避部材を備え、
前記回避部材は、前記収容箱本体の開口形状と略一致する本体片と、この本体片にそれぞれ設けられ、前記収容箱本体の互いに対向する２面に沿ってそれぞれ上方から内挿される一対の内挿片とを備えている収容箱。
【考案の詳細な説明】
【技術分野】
【０００１】
本考案は、節句を祝う節句用飾りなどの飾り物を設置する飾り台及びこれを収容する収容箱に関する。
【背景技術】
【０００２】
従来より、この種の飾り台としては、雛人形、五月人形、兜、鎧といった各種の節句を祝う節句用飾りなどの飾り物を設置するようにしたものが知られている（特許文献１参照）。この飾り台は、飾り物を載置する台座と、この台座の下方で対峙する底板と、この底板の周囲にそれぞれ立設された複数の板材とを備え、底板の周方向で互いに相隣なる板材の両端同士を直角に連結して台座を支持するようにしている。
【０００３】
また、底板の周方向で互いに相隣なる板材の両端同士をそれぞれ平面視で４５°に切断して直角に連結するようにしたものもある。
【先行技術文献】
【特許文献】
【０００４】
【特許文献１】実用新案登録第３１９２８３４号公報
【考案の概要】
【考案が解決しようとする課題】
【０００５】
ところで、底板の周方向で互いに相隣なる板材の両端同士を直角に連結する場合には、互いの板材同士の連結を強固に行う上で、双方の板材の両端において互いに大きな連結面積（表面積又は断面積）が必要となるため、双方の板材の板厚を十分に確保しておく必要がある。
【０００６】
しかし、各板材の板厚を十分に確保すれば、重量が嵩み、飾り台が重くなってしまう。そのため、飾り台を収容箱から取り出す際にその取り出し作業を一人で行うにはかなりの労力を要する上、非常に煩わしいものとなる。
【０００７】
しかも、底板の周方向で互いに相隣なる板材の両端同士を直角に連結する際には技術を要する上、相隣なる板材の両端同士をそれぞれ平面視で４５°に切断して直角に連結する際にはより熟練した技術を要することになる。このため、飾り台の組み付け作業が非常に困難なものであった。
【０００８】
本考案は、かかる点に鑑みてなされたものであり、その目的とするところは、板材を軽量化して収容箱から取り出す際の取り出し作業を一人で簡単かつ安易に行えるとともに、飾り台の組み付け作業を非常に簡単に行うことができる飾り台を提供することにある。
【課題を解決するための手段】
【０００９】
前記目的を達成するため、本考案では、節句を祝う節句用飾りなどの飾り物を設置する飾り台を前提とする。更に、前記飾り物を載置する台座と、前記台座の下方で対峙する底板と、前記底板の周囲に立設された複数の支柱と、前記各支柱のうちの互いに相隣なる支柱同士の間に設けられ、前記各支柱と共に前記台座を支持する複数の薄板材と、を備える。そして、前記各支柱に、そのうちの互いに相隣なる支柱同士の間に位置する前記薄板材の周方向両端をその表裏方向から保持するように上方から挿通させた状態で固定する挿通溝を設ける。更に、前記各薄板材の下端を、前記底板に対し固定することを特徴としている。
【００１０】
また、前記底板の上面に、前記各薄板材の下端をその表裏方向から保持した状態に固定する保持溝が凹設されていてもよい。
【００１１】
また、前記薄板材の表面に模様状に凹設した模様凹部を設け、この模様凹部に螺鈿を象嵌していてもよい。
【００１２】
これに対し、前記薄板材の表面に模様状に凹設した模様凹部を設けるとともに、その裏面より前記模様凹部に連通するまで凹設した凹部を設ける。そして、前記凹部に、表面に装飾を施した装飾板を嵌合していてもよい。
【００１３】
更に、前記薄板材に、その表裏方向に模様状に切り欠いた模様切欠部を設け、この模様切欠部に対応する薄板材の裏面に、表面に装飾を施した装飾板を添設していてもよい。
【００１４】
そして、前記装飾板の周方向両端を、前記支柱に設けられた案内溝に対し上方から挿通自在に支持していてもよい。
【００１５】
また、前記台座に屏風を設け、前記屏風に、その表面に模様状に凹設した模様凹部と、裏面より前記模様凹部に連通するまで凹設した凹部に嵌合され、表面に装飾を施した装飾板とを設けていてもよい。
【００１６】
前記装飾板は、前記屏風の凹部の深さとほぼ同じ厚さに形成されている請求項６に記載の飾り台。
【００１７】
更に、前記屏風に、その表面に模様状に凹設した模様凹部を設け、この模様凹部に、螺鈿を象嵌していてもよい。
【００１８】
そして、前記模様凹部を、レーザービームの照射により任意の深さに設定されるように加工していてもよい。
【００１９】
また、飾り台を収容する収容箱であって、その収容箱本体の底部に、当該収容箱本体の底面形状と略一致する中敷きを敷設し、この中敷きに、前記底板の下面に凹設した凹部に合致する突起を設けたことを特徴とする収容箱を提供するものである。
【００２０】
また、飾り台を収容する収容箱であって、収容箱本体は、当該収容箱本体の開口形状が略矩形状を呈し、四方から被せる内フラップ及び外フラップを２枚ずつ備えているとともに、当該収容箱本体に収容された前記飾り台の台座に対する前記各内フラップの直当接を回避する回避部材を備える。そして、前記回避部材に、前記収容箱本体の開口形状と略一致する本体片と、この本体片にそれぞれ設けられ、前記収容箱本体の互いに対向する２面に沿ってそれぞれ上方から内挿される一対の内挿片とを備えることを特徴とする収容箱を提供するものである。
【考案の効果】
【００２１】
以上、要するに、底板の周囲に立設した複数の支柱のうちの互いに相隣なる支柱に、薄板材の周方向両端をその表裏方向から保持するように上方から挿通させた状態で固定する挿通溝を設けることで、底板の周囲の各支柱の板厚のみを厚くすれば、その各支柱同士の間の薄板材の板厚は薄いままでよい。これにより、板厚の厚い板材を不要にして飾り台の軽量化を図ることができ、収容箱から飾り台を取り出す際の取り出し作業を一人で簡単かつ安易に行うことができる。
【００２２】
しかも、飾り台を組み付ける際に各支柱を正確に位置決めしておけば、互いに相隣なる支柱同士の間に各薄板材が挿通溝に案内されて簡単に組み付けられ、熟練した技術を要することなく、飾り台の組み付け作業を簡単に行うことができる。
【００２３】
更に、各薄板材を挿通溝に対し上方から挿通して組み付ける際に各薄板材の下端に接着剤などを塗布しておけば、各薄板材の下端が底板に到達した状態で簡単に固定され、飾り台の組み付け作業の簡単化をさらに図ることができる。
【００２４】
加えて、各支柱同士の間の薄板材が当該各支柱の挿通溝に対し表裏方向から保持されていることにより、各支柱同士の間での薄板材の撓みや位置ずれが抑制され、各支柱同士の間において薄板材を強固に固定することができる。
【００２５】
また、底板の上面に凹設した保持溝に、各薄板材の下端をその表裏方向から保持した状態で固定することで、底板の上面の保持溝に各薄板材の下端が表裏方向から保持されて表裏方向への撓みや位置ずれが効果的に抑制され、各支柱同士の間において薄板材をより強固に固定することができる。
【００２６】
また、薄板材の表面に凹設した模様凹部に螺鈿を象嵌することで、薄板材に重厚感を持たせて螺鈿の象嵌による格調を付与することができる。
【００２７】
これに対し、薄板材に、その表面に模様状に凹設した模様凹部と、その裏面より模様凹部に連通するまで凹設した凹部と、この凹部に嵌合され、表面に装飾を施した装飾板とを設けることで、薄板材の裏面の凹部に嵌合した装飾板によって、薄板材の模様凹部を介して装飾板の装飾が表示され、薄板材に重厚感を持たせて装飾板の装飾による格調を付与することができる。
【００２８】
更に、表裏方向に模様状に切り欠いた模様切欠部を有する薄板材の裏面に、表面に装飾を施した装飾板を添設することで、薄板材の模様切欠部を介して装飾板の表面の装飾が表示され、薄板材に重厚感を持たせて装飾板の装飾による格調を付与することができる。
【００２９】
そして、装飾板の周方向両端を支柱の案内溝に対し上方から挿通自在に支持することで、装飾板を薄板材の裏面に対し簡単かつ容易に添設することができる。
【００３０】
また、台座の屏風に、その表面に模様状に凹設した模様凹部と、裏面より模様凹部に連通するまで凹設した凹部に嵌合され、表面に装飾を施した装飾板とを設けることで、屏風の裏面の凹部に嵌合した装飾板によって、屏風の模様凹部を介して装飾板の装飾が表示され、屏風に重厚感を持たせて装飾板の装飾による格調を付与することができる。
【００３１】
また、装飾板を屏風の凹部の深さとほぼ同じ厚さに形成することで、装飾板の裏面と屏風の裏面とが面一上となり、屏風の裏面からの見映えも向上させることができる。
【００３２】
更に、屏風の表面に模様状に凹設した模様凹部を設け、この模様凹部に螺鈿を象嵌することで、屏風に重厚感を持たせて螺鈿の象嵌による格調を付与することができる。
【００３３】
そして、模様凹部を、レーザービームの照射により任意の深さに設定されるように加工することで、模様凹部を任意の深さに段階的に設定することも可能となり、模様凹部の深さの差により奥行きを持たせて、薄板材の表面や屏風の表面に彫りの深い印象を付与することもできる。
【００３４】
また、飾り台を収容する収容箱本体の底部に敷設した中敷きに、底板の下面に凹設した凹部に合致する突起を設けることで、飾り台を収容箱に収容した際に収容箱本体底部に敷いた中敷きの突起が飾り台の底板の凹部に嵌合し、飾り台が収容箱本体内の所望する位置、例えば四方から接触しない中間位置などに安定して設置することが可能となり、飾り台の収容箱本体内での擦れなどによる傷付きを確実に防止することができる。
【００３５】
また、収容箱本体に収容した飾り台の台座に対する各内フラップの直当接を回避する回避部材を備え、この回避部材に、収容箱本体の開口形状と略一致する本体片と、この本体片にそれぞれ設けられ、収容箱本体の互いに対向する２面に沿ってそれぞれ上方から内挿される一対の内挿片とを設けることで、収容箱本体に収容した飾り台の台座の上に回避部材の本体片が載置されるように収容箱本体の２面に沿って一対の内挿片を内挿させると、飾り台の台座に対する各内フラップの直当接が本体片によって回避される。これにより、飾り台の台座に対する各内フラップの直当接による傷付きを確実に防止することができる。
【図面の簡単な説明】
【００３６】
【図１】本考案の第１の実施の形態に係る飾り台に屏風を載せた状態の斜視図である。
【図２】図１の飾り台の台座を取り外した状態の平面図である。
【図３】図１の飾り台の台座を上方から見た平面図である。
【図４】図３の台座を正面側から見た正面図である。
【図５】図２の飾り台の底板の平面図である。
【図６】図５の底板の正面図である。
【図７】図２の飾り台の右前側の支柱の正面図である。
【図８】図７の支柱の平面図である。
【図９】図２の飾り台の正面側の薄板材の正面図である。
【図１０】図２の飾り台の右側面側の薄板材を右側方から見た正面図である。
【図１１】図１０の右側面側の薄板材を正面側から見た側面図である。
【図１２】図１の飾り台の三曲一隻の屏風の第２扇の背面図である。
【図１３】図１２の第２扇の凹部に嵌合される装飾板の背面図である。
【図１４】図１３の屏風を正面側から見た斜視図である。
【図１５】図１４の屏風を裏面側から見た斜視図である。
【図１６】図１の飾り台を収容する収容箱に中敷きを敷設した状態の斜視図である。
【図１７】図１の飾り台の凹部を示す底板側から見た斜視図である。
【図１８】図１の飾り台を収容した収容箱及びこれに対し内挿片が内挿される回避部材の斜視図である。
【図１９】本考案の第２の実施の形態に係る飾り台の平面図である。
【図２０】図１９の飾り台の底板の平面図である。
【図２１】図１９の飾り台の背面図である。
【図２２】図１９の飾り台の右前側の支柱の正面図である。
【図２３】図２２の右前側の支柱の平面図である。
【図２４】図２２の右前側の支柱付近での薄板材及び装飾板の保持構造を説明する拡大平面図である。
【図２５】図１９の飾り台の正面側の薄板材の正面図である。
【考案を実施するための形態】
【００３７】
以下、添付図面を参照しながら、本考案の実施の形態について説明し、本考案の理解に供する。なお、以下の実施の形態は、本考案を具体化した一例であって、本考案の技術的範囲を限定する性格のものではない。
【００３８】
図１は本考案の第１の実施の形態に係る飾り台に屏風を載せた状態の斜視図、図２は飾り台の台座を取り外した状態の平面図をそれぞれ示している。
【００３９】
図１及び図２において、１は節句を祝う節句用飾りなどの飾り物（図示せず）を設置する飾り台である。この飾り台１は、飾り物を矩形の台１０，１０を介して載置する台座１１と、この台座１１の下方で対峙する底板１２とを備えている。
【００４０】
図３は飾り台１の台座１１を上方から見た平面図、図４は台座１１を正面側から見た正面図をそれぞれ示している。また、図５は飾り台１の底板１２の平面図、図６は底板１２の正面図をそれぞれ示している。
【００４１】
図３〜図６に示すように、台座１１及び底板１２は、それぞれ椋材よりなり、互いの大きさが略一致する矩形状に形成されている。台座１１及び底板１２は、縦方向（図３及び図５の紙面上下方向）の長さが２４０ｍｍに、横方向（図３及び図５の紙面左右方向）の長さが４３６ｍｍに、厚さが１２ｍｍにそれぞれ設定されている。なお、図３及び図４中の符号１１１は、台座１１を薄板材１６〜１９（後述する）の上端に載置する際に左右両側の薄板材１８，１９に沿って位置決めするための位置決め片である。
【００４２】
図７は飾り台１の右前側の支柱の正面図、図８は支柱の平面図をそれぞれ示している。この図７及び図８並びに図２にも示すように、飾り台１は、底板１２の周囲の四隅よりそれぞれ立設された４本の支柱１３，１３，…を備えている。各支柱１３は、断面略矩形状の椋材により形成され、縦方向（図８では上下方向）の長さが２０ｍｍに、横方向（図８では左右方向）の長さが４５ｍｍに、高さ方向の長さが１７７ｍｍにそれぞれ設定されている。
【００４３】
図９は飾り台１の正面側の薄板材の正面図、図１０は飾り台１の右側面側の薄板材を右側方から見た正面図、図１１は右側面側の薄板材を正面側から見た側面図をそれぞれ示している。
【００４４】
図９〜図１１及び図２にも示すように、飾り台１は、各支柱１３のうちの底板１２の周方向で互いに相隣なる支柱１３，１３同士の間を直線状に連結する４枚の薄板材１６〜１９を備えている。この各薄板材１６〜１９は、ＭＤＦ（ｍｅｄｉｕｍ  ｄｅｎｓｉｔｙ  ｆｉｂｅｒｂｏａｒｄ）により矩形薄板状に成形されている。各薄板材１６〜１９のうちの前後の薄板材１６，１７は、互いに同じ大きさに形成され、高さ方向（図９では紙面上下方向）の長さが１８２ｍｍに、幅方向（図９では紙面左右方向）の長さが３５６ｍｍに、厚さが３ｍｍにそれぞれ設定されている。この場合、後側の薄板材１７の裏面の上部位置には、この薄板材１７の高さ方向の長さの略１／４〜１／３程度の高さ方向の長さに設定された裏板材（図示せず）が、当該後側の薄板材１７に互いの上端同士を位置合わせした状態で貼着され、後側の薄板材１７の上部での剛性強度を向上させている。
【００４５】
一方、左右両側の薄板材１８，１９は、互いに同じ大きさに形成され、高さ方向（図１０では紙面上下方向）の長さが１８２ｍｍに、幅方向（図１０では紙面左右方向）の長さが２１０ｍｍに、厚さが３ｍｍにそれぞれ設定されている。なお、図１０及び図１１中の符号１８１，１９１は、飾り台１の左右両側の薄板材１８，１９に固着される把持片であって、飾り台１を持ち上げる際に把持されるのはもちろんのこと、薄板材１８，１９の反りや剛性強度の向上にも貢献している。
【００４６】
また、図２及び図８に示すように、各支柱１３の２面、つまり底板１２の周方向で互いに相隣なる支柱１３，１３の互いに向き合う２つの対向面には、上下方向に延びる挿通溝１３１，１３１が設けられている。各挿通溝１３１は、それぞれ１０ｍｍの深さを有し、溝幅が３．５ｍｍに設定されている。そして、各支柱１３の２つの挿通溝１３１は、互いに相隣なる支柱１３，１３同士の間に位置する薄板材１６〜１９の周方向両端をその表裏方向から保持するように上下方向から挿通させた状態で固定している。各薄板材１６〜１９の周方向両端（左右方向両端又は前後方向両端）は、各支柱１３の２つの挿通溝１３１に対し接着剤（図示せず）によって強固に固着されている。
【００４７】
更に、図５及び図６に示すように、底板１２の上面には、各薄板材１６〜１９の下端をその表裏方向から保持する保持溝１２１が凹設されている。各保持溝１２１は、それぞれ５ｍｍの深さを有し、溝幅が３．５ｍｍに設定されている。また、各薄板材１６〜１９の下端は、底板１２の各保持溝１２１に嵌挿した状態で接着剤（図示せず）によって強固に固着されている。この場合、各薄板材１６〜１９は、その下端が底板１２の各保持溝１２１に嵌挿されることによって各支柱１３との高さ方向の長さの差（５ｍｍ）が吸収され、各支柱１３と共に台座１１を支持するようにしている。
【００４８】
また、図９にも示すように、正面側の薄板材１６の表面には、レーザービームの照射により模様状に凹設した模様凹部１６１，１６１，…が設けられている。これらの模様凹部１６１，１６１，…には、螺鈿１５が埋設されている。この場合、各模様凹部１６１は、薄板材１６の表面からの深さがすべて当該薄板材１６の厚さの略半分に設定されている。なお、螺鈿１５に限らず象眼や沈金が模様凹部１６１，１６１，…に埋設されていてもよく、ウレタン材などによって最外層に保存に適した処理が施されていてもよい。
【００４９】
図１２は飾り台１の三曲一隻の屏風の第２扇の背面図、図１３は第２扇の凹部に嵌合される装飾板の背面図をそれぞれ示している。また、図１４は屏風を正面側から見た斜視図、図１５は屏風を裏面側から見た斜視図をそれぞれ示している。
【００５０】
図１２〜図１５及び図１にも示すように、台座１１の上には、その後部から左右両側部に亘って立設された屏風２が設けられている。この屏風２は、第１〜第３扇２ａ〜２ｃをヒンジ２０，２０，…で連結した三曲一隻のものである。屏風２の第２扇２ｂは、その表面にレーザービームの照射により模様状に凹設した模様凹部２１，２１，…と、裏面より各模様凹部２１に連通するまで凹設した凹部２２に嵌合され、表面に装飾２３１を施した装飾板２３とを備えている。また、装飾板２３は、屏風２の第２扇２ｂの凹部２２の深さとほぼ同じ厚さに形成されている。この場合、模様凹部２１及び凹部２２の深さ、並びに装飾板２３の厚さは、屏風２の第２扇２ｂの厚さの略半分に設定されている。
【００５１】
図１６は飾り台１を収容する収容箱に中敷きを敷設した状態の斜視図、図１７は飾り台１の凹部を示す底板１２側から見た斜視図をそれぞれ示している。この図１６及び図１７に示すように、飾り台１を収容する収容箱３は、段ボールにより形成されている。この収容箱３の底部には、その収容箱本体３０の開口形状と略一致する略矩形状の中敷き３１が敷設されている。中敷き３１は、段ボールにより形成され、飾り台１の底板１２の下面に凹設した左右一対の円形状の凹部１２２，１２２に合致して嵌合する左右一対の円柱形状の突起３１１，３１１を備えている。各突起３１１は、ＭＤＦにより成形され、中敷き３１に接着されている。このとき、飾り台１は、収容箱本体３０内の所望する位置、つまり収容箱本体３０内において四方から接触しない中間位置に安定して設置される。
【００５２】
図１８は飾り台１を収容した収容箱３及びこれに対し内挿片が内挿される回避部材の斜視図を示している。この図１８において、収容箱本体３０は、その開口を塞ぐ際に四方から被せる内フラップ３２，３２及び外フラップ３３，３３を２枚ずつ備えている。また、収容箱本体３０は、当該収容箱本体３０に収容された飾り台１の台座１１に対する各内フラップ３２の直当接を回避する回避部材３４を備えている。この回避部材は、段ボールにより形成され、収容箱本体３０の開口形状と略一致する略矩形状の本体片３４１と、この本体片３４１の長辺にそれぞれ設けられ、収容箱本体３０の互いに対向する２面（長辺側の２面）に沿ってそれぞれ上方から内挿される一対の内挿片３４２，３４２とを備えている。
【００５３】
したがって、本実施の形態では、底板１２の四隅に立設した４つの支柱１３，１３，…のうちの互いに相隣なる支柱１３，１３に、薄板材１６〜１９の周方向両端をその表裏方向から保持するように上下方向から挿通させた状態で固定する挿通溝１３１，１３１が設けられているとともに、底板１２に各薄板材１６〜１９の下端が固定されているので、底板１２の周囲の各支柱１３の板厚のみを厚くすれば、その各支柱１３，１３同士の間の薄板材１６〜１９の板厚は薄くてもよい。これにより、板厚の厚い板材を不要にして飾り台１の軽量化を図ることができ、収容箱３から飾り台１を取り出す際の取り出し作業を一人で簡単かつ安易に行うことができる。
【００５４】
しかも、飾り台１を組み付ける際に各支柱１３を正確に位置決めしておけば、互いに相隣なる支柱１３，１３同士の間に各薄板材１６〜１９が挿通溝１３１，１３１に案内されて簡単に組み付けられ、熟練した技術を要することなく、飾り台１の組み付け作業を簡単に行うことができる。
【００５５】
更に、互いに相隣なる各支柱１３同士の間の薄板材１６〜１９は、当該各支柱１３の挿通溝１３１，１３１に対し表裏方向から保持されるように上下方向から挿通させた状態で固定される上、底板１２の上面の保持溝１２１に下端が表裏方向から保持されているので、各支柱１３同士の間での薄板材１６〜１９の表裏方向への撓みや位置ずれが抑制されることになり、当該各支柱１３同士の間において薄板材１６〜１９を強固に固定することができる。
【００５６】
また、前側の薄板材１６の表面に凹設した模様凹部１６１，１６１，…に螺鈿が象嵌されているので、当該薄板材１６に重厚感を持たせて螺鈿による格調を付与することができる。
【００５７】
また、台座１１の後部から左右両側部に亘って立設した三曲一隻の屏風２の第２扇２ｂは、その表面にレーザービームの照射により模様状に凹設した模様凹部２１，２１，…と、裏面より各模様凹部２１に連通するまで凹設した凹部２２に嵌合され、表面に装飾２３１を施した装飾板２３とを備えているので、屏風２の第２扇２ｂの裏面の凹部２２に嵌合した装飾板２３によって、屏風２の第２扇２ｂの模様凹部２１，２１，…を介して装飾板２３の装飾２３１が表示され、屏風２に重厚感を持たせて装飾板２３の装飾２３１による格調を付与することができる。
【００５８】
更に、装飾板２３が屏風２の第２扇２ｂの凹部２２の深さとほぼ同じ厚さに形成されているので、装飾板２３の裏面と屏風２の第２扇２ｂの裏面とが面一上となり、屏風２の裏面からの見映えも向上させることができる。
【００５９】
また、飾り台１を収容する収容箱本体３０の底部に敷設した中敷き３１に、底板１２の下面に凹設した左右一対の凹部１２２，１２２に合致する左右一対の突起３１１，３１１が設けられているので、飾り台１を収容箱３に収容した際に収容箱本体３０底部に敷いた中敷き３１の各突起３１１が飾り台１の底板１２の各凹部１２２に嵌合し、飾り台１が収容箱本体３０内において四方から接触しない中間位置（所望する位置）に安定して設置されることになり、飾り台１の収容箱本体３０内での擦れなどによる傷付きを確実に防止することができる。
【００６０】
また、収容箱本体３０に収容した飾り台１の台座１１に対する各内フラップ３２の直当接を回避する回避部材３４を備え、この回避部材３４に、収容箱本体３０の開口形状と略一致する本体片３４１と、この本体片３４１の長辺にそれぞれ設けられ、収容箱本体３０の互いに対向する２面（長辺側の２面）に沿ってそれぞれ上方から内挿される一対の内挿片３４２，３４２とが設けられているので、収容箱本体３０に収容した飾り台１の台座１１の上に回避部材３４の本体片３４１が載置されるように収容箱本体３０の２面に沿って一対の内挿片３４２，３４２を内挿させると、飾り台１の台座１１に対する各内フラップ３２の直当接が本体片３４１によって回避される。これにより、飾り台１の台座１１に対する各内フラップ３２の直当接による傷付きを確実に防止することができる。
【００６１】
次に、本考案の第２の実施の形態を図面に基づいて説明する。
【００６２】
この実施の形態では、正面側の薄板材の構成を変更している。なお、前記第１の実施の形態と同一の部分については同じ符号を付してその詳細な説明は省略する。図１９は本考案の第２の実施の形態に係る飾り台の平面図を示している。
【００６３】
すなわち、本実施の形態では、図１９に示すように、飾り台４は、台座１１の下方で対峙する底板４２を備えている。台座１１及び底板４２は、大きさが互いに略一致する矩形状に形成されている。
【００６４】
図２０は飾り台４の底板４２の平面図、図２１は飾り台の背面図をそれぞれ示している。また、図２２は飾り台１の右前側の支柱の正面図、図２３は支柱の平面図をそれぞれ示している。
【００６５】
図２０〜図２３に示すように、飾り台４は、底板４２の周囲の四隅よりそれぞれ立設された４本の支柱４３，４３，…を備えている。各支柱４３は、断面略矩形状の椋材により形成され、縦方向（図２３では上下方向）の長さが２０ｍｍに、横方向（図２３では左右方向）の長さが４５ｍｍに、高さ方向の長さが１７７ｍｍにそれぞれ設定されている。
【００６６】
また、飾り台４は、各支柱４３のうちの底板４２の周方向で互いに相隣なる支柱４３，４３同士の間を直線状に連結する４枚の薄板材４６〜４９を備えている。この各薄板材４６〜４９は、ＭＤＦにより矩形薄板状に成形されている。各薄板材４６〜４９のうちの前後の薄板材４６，４７は、互いに同じ大きさに形成され、高さ方向（図２１では紙面上下方向）の長さが１８２ｍｍに、幅方向（図２０では紙面左右方向）の長さが３５６ｍｍに、厚さが３ｍｍにそれぞれ設定されている。一方、左右の薄板材４８，４９は、互いに同じ大きさに形成され、高さ方向（図２１では紙面上下方向）の長さが１８２ｍｍに、幅方向（図２０では紙面上下方向）の長さが２１０ｍｍに、厚さが３ｍｍにそれぞれ設定されている。
【００６７】
図２４は飾り台の右前側の支柱付近での薄板材及び装飾板の保持構造を説明する拡大平面図を示している。この図２４に示すように、各支柱４３の２面、つまり底板４２の周方向で互いに相隣なる支柱４３，４３の互いに向き合う２つの対向面には、上下方向に延びる挿通溝４３１，４３１が設けられている。各挿通溝４３１は、それぞれ１０ｍｍの深さを有し、溝幅が３．５ｍｍに設定されている。そして、各支柱４３の２つの挿通溝４３１は、互いに相隣なる支柱４３，４３同士の間に位置する薄板材４６〜４９の周方向両端をその表裏方向から保持するように上下方向から挿通させた状態で固定している。各薄板材４６〜４９の周方向両端（左右方向両端又は前後方向両端）は、各支柱４３の２つの挿通溝４３１に対し接着剤（図示せず）によって強固に固着されている。
【００６８】
更に、図２０に示すように、底板４２の上面には、各薄板材４６〜４９の下端をその表裏方向から保持する保持溝４２１が凹設されている。各保持溝４２１は、それぞれ５ｍｍの深さを有し、溝幅が３．５ｍｍに設定されている。また、各薄板材４６〜４９の下端は、底板４２の各保持溝４２１に嵌挿した状態で接着剤（図示せず）によって強固に固着されている。この場合、各薄板材４６〜４９は、その下端が底板４２の各保持溝４２１に嵌挿されることによって各支柱４３との高さ方向の長さの差（５ｍｍ）が吸収され、各支柱４３と共に台座１１を支持するようにしている。
【００６９】
図２５は飾り台４の正面側の薄板材４６の正面図を示している。図２５に示すように、正面側の薄板材４６には、レーザービームの照射によりその表裏方向に模様状に切り欠いた模様切欠部４６１，４６１，…が設けられている。各模様切欠部４６１に対応する薄板材４６の裏面には、表面に金箔塗装などの装飾５０１を施した装飾板５０が添設されている。この装飾板５０の左右両端（周方向両端）は、飾り台４の左右前側の支柱４３，４３の上下方向へ延びる案内溝４３２に対し上下方向から挿通自在に支持されている。この場合、装飾板５０は、高さ方向（図２５では紙面上下方向）の長さが１７７ｍｍに、幅方向（図２５では紙面左右方向）の長さが３４３ｍｍに、厚さが３ｍｍにそれぞれ設定されている。
【００７０】
したがって、本実施の形態では、正面側の薄板材４６に、その表裏方向に模様状に切り欠いた模様切欠部４６１，４６１，…を設け、この薄板材４６の裏面に、表面に装飾５０１を施した装飾板５０が添設されているので、薄板材４６の模様切欠部４６１，４６１，…を介して装飾板５０の装飾５０１が表示され、薄板材４６に重厚感を持たせて装飾板５０の装飾による格調を付与することができる。
【００７１】
しかも、装飾板５０の左右両端が、飾り台４の左右前側の支柱４３，４３の案内溝４３２に対し上下方向から挿通自在に支持されているので、装飾板５０を薄板材４６の裏面に対し簡単かつ容易に添設することができる。
【００７２】
なお、本考案は、前記各実施の形態に限定されるものではなく、その他種々の変形例を包含している。例えば、前記各実施の形態では、矩形状の底板１２，４２の四隅に４本の支柱１３，４３を立設させたが、底板の形状や大きさに応じて支柱の本数が決められていればよく、薄板材の枚数も支柱の本数に応じて変更される。
【００７３】
また、前記各実施の形態では、各薄板材１６〜１９、４６〜４９の下端を底板１２，４２の各保持溝１２１，４２１に嵌挿した状態で接着剤によって強固に固着したが、底板の上面に各保持溝が凹設されていなくてもよく、互いに相隣なる各支柱の挿通溝に案内された各薄板材の下端に接着剤などを塗布しておけば、各薄板材の下端が底板に到達した状態で簡単に強固に固定され、飾り台の組み付け作業の簡単化をさらに図ることが可能となる。
【００７４】
また、前記各実施の形態では、各薄板材１６〜１９，４６〜４９を周方向で互いに相隣なる支柱１３，４３同士の間を直線状に連結したが、各薄板材を湾曲させておき、この薄板材を用いて、周方向で互いに相隣なる支柱同士の間を曲線状に連結していてもよい。この場合、底板の保持溝も薄板材に応じて湾曲させておく必要がある。
【００７５】
また、前記各実施の形態では、各薄板材１６〜１９，４６〜４９をＭＤＦにより成形したが、各薄板材が樹脂材などによって成形されていてもよい。各支柱についても、椋材に限らず、樹脂材などによって成形されていてもよい。
【００７６】
また、前記各実施の形態では、正面側の薄板材１６の各模様凹部１６１の凹設、正面側の薄板材４６の各模様切欠部４６１の切り欠きをそれぞれレーザービームの照射により加工したが、レーザービームを照射することなく、刃先を有するカッターなどを用いて、刳り抜いたり切り抜いたりして模様凹部や模様切欠部が形成されていてもよい。
【００７７】
また、前記第１の実施の形態では、薄板材１６の表面の模様凹部１６１，１６１，…に螺鈿を埋設したが、薄板材の表面にレーザービームの照射によって模様状に凹設した模様凹部を設けるとともに、その裏面より模様凹部に連通するまで凹設した凹部を設け、この凹部に、表面に装飾を施した装飾板が嵌合されていてもよい。この場合には、薄板材の模様切欠部を介して装飾板の装飾が表示され、薄板材に重厚感を持たせて装飾板の装飾による格調を付与することが可能となる。
【００７８】
また、前記各実施の形態では、台座１１及び底板１２，４２を、大きさが互いに略一致する矩形状に形成したが、台座１１の形状は矩形に限らず、どのような形状であってもよい。
【００７９】
また、前記各実施の形態では、台座１１及び底板１２をそれぞれ椋材により形成したが、台座及び底板の材質については特に限定されるものではなく、特に台座については、上面に畳を嵌め込んだものであってもよい。
【００８０】
また、前記各実施の形態では、飾り台１，４を構成する台座１１、底板１２，４２、各支柱１３，４３，及び薄板材１６〜１９，４６〜４９の寸法についてそれぞれ特定したが、これはあくまでも一例であり、これに限定されるものではない。
【００８１】
また、前記各実施の形態では、前側の薄板材１６の表面の各模様凹部１６１、及び屏風２の第２扇２ｂの表面の各模様凹部２１の深さを薄板材１６及び第２扇２ｂの厚さの略半分にそれぞれ設定したが、各模様凹部の深さは任意に設定されていればよく、各模様凹部毎に深さを異ならせていてもよい。
【００８２】
また、前記各実施の形態では、各模様凹部１６１，２１にそれぞれ螺鈿を象嵌したが、金・銀などを埋設する装飾の他、パール調の塗装による装飾によって、光沢のある仕上げがなされていてもよい。
【００８３】
また、前記各実施の形態では、各薄板材１６〜１９，４６〜４９のうちの前側の薄板材１６，４６にのみ各模様凹部１６１や各模様切欠部４６１を形成したが、後側及び左右両側の薄板材にも各模様凹部や各模様切欠部が形成されていてもよい。
【００８４】
更に、前記各実施の形態では、収容箱本体３０の底部の中敷き３１に左右一対の突起３１１，３１１を設けたが、底板の下面に凹設した凹部の数量と合致していれば、突起の数量は３つ以上であってもよい。
また、形状についても円形を問わず、矩形状や楕円形状であってもよい。その場合には数量が単数であってもよく、大きな突起を設けることで、底板の重量を抑えて飾り台の軽量化に貢献することも可能となる。
【符号の説明】
【００８５】
１          飾り台
１１        台座
１２        底板
１２２      凹部
１３        支柱
１３１      挿通溝
１２１      保持溝
１６〜１９  薄板材
１６１      模様凹部
２          屏風
２１        模様凹部
２２        凹部
２３        装飾板
２３１      装飾
３          収容箱
３０        収容箱本体
３１        中敷き
３１１      突起
３２        内フラップ
３３        外フラップ
３４        回避部材
３４１      本体片
３４２      内挿片
４          飾り台
４１        台座
４２        底板
４２１      保持溝
４３        支柱
４３１      挿通溝
４３２      案内溝
４６〜４９  薄板材
４６１      模様切欠部
５０        装飾板
５０１      装飾
【図１】
0003205141.tif 000003
【図２】
0003205141.tif 000004
【図３】
0003205141.tif 000005
【図４】
0003205141.tif 000006
【図５】
0003205141.tif 000007
【図６】
0003205141.tif 000008
【図７】
0003205141.tif 000009
【図８】
0003205141.tif 000010
【図９】
0003205141.tif 000011
【図１０】
0003205141.tif 000012
【図１１】
0003205141.tif 000013
【図１２】
0003205141.tif 000014
【図１３】
0003205141.tif 000015
【図１４】
0003205141.tif 000016
【図１５】
0003205141.tif 000017
【図１６】
0003205141.tif 000018
【図１７】
0003205141.tif 000019
【図１８】
0003205141.tif 000020
【図１９】
0003205141.tif 000021
【図２０】
0003205141.tif 000022
【図２１】
0003205141.tif 000023
【図２２】
0003205141.tif 000024
【図２３】
0003205141.tif 000025
【図２４】
0003205141.tif 000026
【図２５】
0003205141.tif 000027